(57)【要約】【課題】  ＤＣバランスをとりつつ画像の輪郭部分の残像を消去する電気泳動表示装置の駆動方法等を提供する。【解決手段】  一対の基板間に電気泳動粒子を含む電気泳動素子を狭持し、少なくとも第１色と第２色を表示可能な画素からなる表示部を含む電気泳動表示装置の駆動方法であって、表示部の所与の領域の内部で電気泳動素子に電圧を印加することにより所与の視覚表現の書き換えを行う、部分書き換え工程Ｓ２と、部分書き換え工程が所与の回数繰り返された後に、部分書き換え工程で印加された電圧の非対称性を解消する、非対称性解消工程Ｓ６と、を含み、部分書き換え工程は、部分書き込み工程と、部分消去工程と、残像消去工程と、を含み、非対称性解消工程は、第１全面書き込み工程と、残像消去対称化工程と、第２全面書き込み工程と、を含み、第２全面書き込み工程の後に、再び部分書き換え工程を行う。【選択図】図４
2011186146.tif 000002
【特許請求の範囲】
【請求項１】
一対の基板間に電気泳動粒子を含む電気泳動素子を狭持し、少なくとも第１色と第２色を表示可能な画素からなる表示部を含む電気泳動表示装置の駆動方法であって、
前記表示部の所与の領域の内部で前記電気泳動素子に電圧を印加することにより所与の視覚表現の書き換えを行う、部分書き換え工程と、
前記部分書き換え工程が所与の回数繰り返された後に、前記部分書き換え工程で印加された電圧の非対称性を解消する、非対称性解消工程と、を含み、
前記部分書き換え工程は、
前記所与の視覚表現を形成する画素である視覚表現形成画素を前記第１色で表示する、部分書き込み工程と、
前記視覚表現形成画素を前記第２色で表示する、部分消去工程と、
前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、残像消去工程と、を含み、
前記非対称性解消工程は、
前記表示部の全ての領域で前記電気泳動素子に電圧を印加する全面駆動を行い、前記所与の領域を前記第１色で表示する、第１全面書き込み工程と、
前記第１全面書き込み工程の後に、前記部分書き換え工程で消去された前記残像消去領域を前記第１色で表示する処理を前記所与の回数繰り返す、残像消去対称化工程と、
前記残像消去対称化工程の後に、前記全面駆動を行い、前記所与の領域を前記第２色で表示する、第２全面書き込み工程と、を含み、
前記第２全面書き込み工程の後に、再び前記部分書き換え工程を行う、電気泳動表示装置の駆動方法。
【請求項２】
請求項１に記載の電気泳動表示装置の駆動方法において、
前記残像消去工程および前記残像消去対称化工程では、
前記残像消去領域として前記輪郭形成画素と前記背景境界画素のみを対象とする、電気泳動表示装置の駆動方法。
【請求項３】
請求項１乃至２のいずれかに記載の電気泳動表示装置の駆動方法において、
前記部分書き換え工程は、
前記残像消去領域を記憶する領域記憶処理を行い、
前記非対称性解消工程は、
前記領域記憶処理で記憶された前記残像消去領域に基づいて行われる前記残像消去対称化工程を含む、電気泳動表示装置の駆動方法。
【請求項４】
請求項１乃至３のいずれかに記載の電気泳動表示装置の駆動方法において、
前記所与の回数は複数回である、電気泳動表示装置の駆動方法。
【請求項５】
電気泳動表示装置であって、
一対の基板間に電気泳動粒子を含む電気泳動素子を狭持し、少なくとも第１色と第２色を表示可能な画素からなる表示部と、
前記表示部を制御する制御部と、を含み、
前記制御部は、
前記表示部の所与の領域の内部で前記電気泳動素子に電圧を印加することにより所与の視覚表現の書き換えを行う、部分書き換え制御と、
前記部分書き換え制御を所与の回数繰り返した後に、前記部分書き換え制御で印加された電圧の非対称性を解消する、非対称性解消制御と、を行い、
前記部分書き換え制御において、
前記所与の視覚表現を形成する画素である視覚表現形成画素を前記第１色で表示する、部分書き込み制御と、
前記視覚表現形成画素を前記第２色で表示する、部分消去制御と、
前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、残像消去制御と、を行い、
前記非対称性解消制御において、
前記表示部の全ての領域で前記電気泳動素子に電圧を印加する全面駆動を行い、前記所与の領域を前記第１色で表示する、第１全面書き込み制御と、
前記第１全面書き込み制御の後に、前記部分書き換え制御で消去された前記残像消去領域を前記第１色で表示する処理を前記所与の回数繰り返す、残像消去対称化制御と、
前記残像消去対称化制御の後に、前記全面駆動を行い、前記所与の領域を前記第２色で表示する、第２全面書き込み制御と、を行い、
前記第２全面書き込み制御の後に、再び前記部分書き換え制御を行う、電気泳動表示装置。
【請求項６】
請求項５に記載の電気泳動表示装置において、
前記制御部は、
前記残像消去制御および前記残像消去対称化制御において、
前記輪郭形成画素と前記背景境界画素のみからなる前記残像消去領域を用いる、電気泳動表示装置。
【請求項７】
請求項５乃至６のいずれかに記載の電気泳動表示装置において、
前記制御部は、
記憶部を含み、
前記部分書き換え制御において、
前記残像消去領域を前記記憶部に記憶し、
前記非対称性解消制御において、
前記記憶部に記憶された前記残像消去領域に基づいて前記残像消去対称化制御を行う、電気泳動表示装置。
【請求項８】
請求項５乃至７のいずれかに記載の電気泳動表示装置を含む電子機器。
【請求項９】
請求項５乃至７のいずれかに記載の電気泳動表示装置を含む電子時計であって、
前記表示部は、
少なくとも、時桁と分桁を含む時刻表示を行い、
前記制御部は、
前記部分書き換え制御において、前記時刻表示の前記分桁を前記所与の視覚表現とする、電子時計。
【請求項１０】
請求項９に記載の電子時計であって、
前記制御部は、
前記残像消去対称化制御を１日に１回行う、電子時計。
【発明の詳細な説明】
【技術分野】
【０００１】
本発明は、電気泳動表示装置の駆動方法、電気泳動表示装置、及び電子機器等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラストの高さ、柔軟性、反射型ディスプレイであるゆえの低消費電力などの優れた利点がある一方、電気泳動粒子を電界により移動させるために応答速度に限界がある。そのため、表示部の全体を描画する全面駆動だけでなく、書き換えを行う表示部の一部のみを描画する部分駆動が用いられることがある。電気泳動表示装置の用途や状況に応じて適宜部分駆動を行うことにより、書き換え時のレスポンスを早めることが可能となる。
【先行技術文献】
【特許文献】
【０００４】
【特許文献１】特表２００５−５３０２０１号公報
【発明の概要】
【発明が解決しようとする課題】
【０００５】
しかし、例えば書き換えを行う表示部の一部の画素（ここでは、画像とする）に対してのみ部分駆動を行った場合に、画像と背景である画素との間に斜め方向の電界が生じて、画像の輪郭に沿って残像が生じることがある。
【０００６】
さらに、特許文献１によると、電気泳動表示装置において電極間に印加される電界の時間平均がほぼゼロでなければ、すなわちＤＣバランスが崩れると、装置の動作寿命が短くなる恐れがある。つまり、電気泳動表示装置の長期信頼性を確保するためにはＤＣバランスをとって駆動制御を行うことを要する。
【０００７】
本発明はこのような問題点に鑑みてなされたものである。本発明のいくつかの態様によれば、ＤＣバランスをとりつつ画像の輪郭に沿った残像を消去する電気泳動表示装置の駆動方法、電気泳動表示装置、及び電子機器を提供することができる。
【課題を解決するための手段】
【０００８】
（１）本発明は、一対の基板間に電気泳動粒子を含む電気泳動素子を狭持し、少なくとも第１色と第２色を表示可能な画素からなる表示部を含む電気泳動表示装置の駆動方法であって、前記表示部の所与の領域の内部で前記電気泳動素子に電圧を印加することにより所与の視覚表現の書き換えを行う、部分書き換え工程と、前記部分書き換え工程が所与の回数繰り返された後に、前記部分書き換え工程で印加された電圧の非対称性を解消する、非対称性解消工程と、を含み、前記部分書き換え工程は、前記所与の視覚表現を形成する画素である視覚表現形成画素を前記第１色で表示する、部分書き込み工程と、前記視覚表現形成画素を前記第２色で表示する、部分消去工程と、前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、残像消去工程と、を含み、前記非対称性解消工程は、前記表示部の全ての領域で前記電気泳動素子に電圧を印加する全面駆動を行い、前記所与の領域を前記第１色で表示する、第１全面書き込み工程と、前記第１全面書き込み工程の後に、前記部分書き換え工程で消去された前記残像消去領域を前記第１色で表示する処理を前記所与の回数繰り返す、残像消去対称化工程と、前記残像消去対称化工程の後に、前記全面駆動を行い、前記所与の領域を前記第２色で表示する、第２全面書き込み工程と、を含み、前記第２全面書き込み工程の後に、再び前記部分書き換え工程を行う。
【０００９】
本発明によれば、部分書き換え工程で生じた印加された電圧の非対称性を、非対称性解消工程を行うことで解消し、ＤＣバランスをとることができる。ＤＣバランスをとることで、長期信頼性の高い電気泳動表示装置を提供できる。ここで、部分書き換え工程には、所与の視覚表現の輪郭を消去する残像消去工程が含まれており、残像を消去できるため視認性のよい電気泳動表示装置を提供できる。
【００１０】
ここで、第１色と第２色とは、ＥＰＤ等のメモリー性の表示手段が最低限表示可能な基本色である２色である。例えば、二粒子系マイクロカプセル型の電気泳動方式では、分散液は無色透明、泳動粒子は白色又は黒色のものがある。この方式の電気泳動表示部は、白色又は黒色の２色を基本色として少なくとも２色を表示可能である。このとき、第１色として泳動粒子の一の色である黒色を割り当て、第２色として白色を割り当ててもよい。逆に、第１色として白色を、第２色として黒色を割り当ててもよい。なお、所与の視覚表現とは、文字、メッセージ、画像、図形、模様、記号等のいずれか、又はこれらの組み合わせであってもよい。例えば、書き換えを行う表示部の一部の画素も所与の視覚表現に含まれる。
【００１１】
（２）この電気泳動表示装置の駆動方法において、前記残像消去工程および前記残像消去対称化工程では、前記残像消去領域として前記輪郭形成画素と前記背景境界画素のみを対象としてもよい。
【００１２】
本発明によれば、前記残像消去領域は隣接する２画素の幅を持つ最小の領域となり、消去の対象となる画素数も最小となる。その結果、残像消去工程および残像消去対称化工程においてパルスを駆動する時間が短くなるので消費電力を抑えることができる。なお、「隣接する２画素」は、表示部における水平、垂直方向に隣接する画素に加えて、斜め方向に隣接する画素を含めてもよい。
【００１３】
（３）この電気泳動表示装置の駆動方法において、前記部分書き換え工程は、前記残像消去領域を記憶する領域記憶処理を行い、前記非対称性解消工程は、前記領域記憶処理で記憶された前記残像消去領域に基づいて行われる前記残像消去対称化工程を含んでもよい。
【００１４】
本発明によれば、部分書き換え工程において、例えば残像消去領域が変化したり、部分書き換え工程の繰り返し回数が変化したりしても、領域記憶処理によって記憶された同領域の履歴に基づいて正しく残像消去対称化工程を行うことができる。よって、様々な表示形態が可能な、ユーザーにとって利便性の高い電気泳動表示装置を提供できる。
【００１５】
（４）この電気泳動表示装置の駆動方法において、前記所与の回数は複数回であってもよい。
【００１６】
本発明によれば、部分書き換え工程を複数回繰り返した後に、非対称性解消工程に進む。非対称性解消工程においては、部分書き換え工程で生じた印加電圧の非対称性についてまとめてＤＣバランスをとる。このとき、非対称性解消工程は部分書き換え工程と全く無関係な時間に１回だけ行われてもよい。例えば、電子時計などに電気泳動表示装置を使用した場合、部分書き換え工程（時刻表示の更新）の直後に非対称性解消工程を行うと、時刻表示とは関係のない不要なデータが視認される可能性があり、その場合には商品性が損なわれる恐れがある。本発明によれば、まず部分書き換え工程（時刻表示の更新）を連続して行い、その後にユーザーが視認することのない状況（例えば、不使用時）において非対称性解消工程が行われることを可能にする。これにより、電子時計などに適用した場合にも上記の商品性が損なわれることはなく、さらに、まとめて１回だけ非対称性解消工程を行えばよいので全体の処理の効率が高まる。
【００１７】
なお、本発明に係る駆動方法を行う電気泳動表示装置等は、前記の印加電圧の非対称性についての情報を保存する記憶部を含んでいてもよい。具体的には、前記の残像消去領域の表示部における位置や電界の方向などを記憶してもよい。そして、記憶部からの情報に基づいて、残像消去工程においてＤＣバランスがとられてもよい。
【００１８】
（５）本発明は、電気泳動表示装置であって、一対の基板間に電気泳動粒子を含む電気泳動素子を狭持し、少なくとも第１色と第２色を表示可能な画素からなる表示部と、前記表示部を制御する制御部と、を含み、前記制御部は、前記表示部の所与の領域の内部で前記電気泳動素子に電圧を印加することにより所与の視覚表現の書き換えを行う、部分書き換え制御と、前記部分書き換え制御を所与の回数繰り返した後に、前記部分書き換え制御で印加された電圧の非対称性を解消する、非対称性解消制御と、を行い、前記部分書き換え制御において、前記所与の視覚表現を形成する画素である視覚表現形成画素を前記第１色で表示する、部分書き込み制御と、前記視覚表現形成画素を前記第２色で表示する、部分消去制御と、前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、残像消去制御と、を行い、前記非対称性解消制御において、前記表示部の全ての領域で前記電気泳動素子に電圧を印加する全面駆動を行い、前記所与の領域を前記第１色で表示する、第１全面書き込み制御と、前記第１全面書き込み制御の後に、前記部分書き換え制御で消去された前記残像消去領域を前記第１色で表示する処理を前記所与の回数繰り返す、残像消去対称化制御と、前記残像消去対称化制御の後に、前記全面駆動を行い、前記所与の領域を前記第２色で表示する、第２全面書き込み制御と、を行い、前記第２全面書き込み制御の後に、再び前記部分書き換え制御を行う。
【００１９】
本発明によれば、部分書き換え制御で生じた印加された電圧の非対称性を、非対称性解消制御を行うことで解消し、ＤＣバランスをとることができる。ＤＣバランスをとることで、長期信頼性の高い電気泳動表示装置を提供できる。ここで、部分書き換え制御には、所与の視覚表現の輪郭を消去する残像消去制御が含まれており、残像を消去できるため視認性のよい電気泳動表示装置を提供できる。
【００２０】
（６）この電気泳動表示装置において、前記制御部は、前記残像消去制御および前記残像消去対称化制御において、前記輪郭形成画素と前記背景境界画素のみからなる前記残像消去領域を用いてもよい。
【００２１】
本発明によれば、前記残像消去領域は隣接する２画素の幅を持つ最小の領域となり、消去の対象となる画素数も最小となる。その結果、残像消去制御および残像消去対称化制御においてパルスを駆動する時間が短くなるので消費電力を抑えることができる。
【００２２】
（７）この電気泳動表示装置において、前記制御部は、記憶部を含み、前記部分書き換え制御において、前記残像消去領域を前記記憶部に記憶し、前記非対称性解消制御において、前記記憶部に記憶された前記残像消去領域に基づいて前記残像消去対称化制御を行ってもよい。
【００２３】
本発明によれば、部分書き換え制御において、例えば残像消去領域が変化したり、部分書き換え制御の繰り返し回数が変化したりしても、記憶部に記憶された同領域の履歴に基づいて正しく残像消去対称化制御を行うことができる。よって、様々な表示形態が可能な、ユーザーにとって利便性の高い電気泳動表示装置を提供できる。
【００２４】
（８）本発明は、前記電気泳動表示装置を含む電子機器であってもよい。
【００２５】
本発明によれば、ＤＣバランスをとりつつ画像の輪郭に沿った残像を消去する電気泳動表示装置を含む電子機器を提供できる。このとき、残像がないために電気泳動表示装置の視認性が向上し、ＤＣバランスがとられているために電気泳動表示装置の長期信頼性を得ることができる。
【００２６】
（９）本発明は、前記電気泳動表示装置を含む電子時計であって、前記表示部は、少なくとも、時桁と分桁を含む時刻表示を行い、前記制御部は、前記部分書き換え制御において、前記時刻表示の前記分桁を前記所与の視覚表現としてもよい。
【００２７】
本発明によれば、制御部は、表示が１分おきに変化する電子時計の分桁表示を対象として部分書き換え制御を行う。よって、残像がなく視認性のよい時刻表示を行う電子時計を提供することができる。
【００２８】
（１０）この電子時計において、前記制御部は、前記残像消去対称化制御を１日に１回行ってもよい。
【００２９】
本発明によれば、制御部は、１日に１回だけ残像消去対称化制御を行うので、処理の効率がよい。また、残像消去対称化制御を、例えばユーザーが電子時計を使用する可能性の低い真夜中等に実施すれば、ユーザーは電子時計の使用時に残像消去対称化制御による表示の遅延等を視認することがなく、正確な時刻表示を見ることができる。
【図面の簡単な説明】
【００３０】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】第１実施形態における電気泳動表示装置の駆動方法のフローチャート。
【図５】図５（Ａ）、図５（Ｂ）は図４のサブルーチンのフローチャート。
【図６】第１実施形態における部分書き換え時の波形図。
【図７】図７（Ａ）〜図７（Ｄ）は、第１実施形態における部分書き換え時の表示例を示す図、およびＹ−Ｙ線に沿って切断された断面図。
【図８】図８（Ａ）〜図８（Ｃ）は、第１実施形態における残像消去領域を示す図。
【図９】図９（Ａ）〜図９（Ｄ）は、全面書き込み時の表示例を示す図、およびＹ−Ｙ線に沿って切断された断面図。
【図１０】第１実施形態における残像消去対称化時の波形図。
【図１１】図１１（Ａ）、図１１（Ｂ）は、第１実施形態における残像消去対称化時の表示例を示す図、およびＹ−Ｙ線に沿って切断された断面図。
【図１２】図１２（Ａ）は電子機器の一例である腕時計の図、図１２（Ｂ）は電子機器の一例である電子ペーパーの図。
【図１３】図１３（Ａ）〜図１３（Ｊ）は、第２実施形態における電子時計の表示例を示す図。
【発明を実施するための形態】
【００３１】
以下、本発明の実施形態について図面を参照して説明する。なお、第２実施形態以降の説明において、第１実施形態と同様の構成については、同一符号を付し、説明を省略する。
【００３２】
１．第１実施形態
本発明の第１実施形態について図１〜図１１を参照して説明する。
【００３３】
１．１．電気泳動表示装置
１．１．１．電気泳動表示装置の構成
図１は、本実施形態に係るアクティブマトリックス駆動方式の電気泳動表示装置１００のブロック図である。
【００３４】
電気泳動表示装置１００は、複数の画素４０が配列された表示部５を含む。制御部６は表示部５を制御する。制御部６は、走査線駆動回路６１、データ線駆動回路６２、コントローラー６３、共通電源変調回路６４を含む。
【００３５】
走査線駆動回路６１、データ線駆動回路６２，共通電源変調回路６４は、それぞれコントローラー６３と接続されている。コントローラー６３は図外から供給される画像信号や同期信号に基づいて、これらを総合的に制御する。なお、コントローラー６３は、記憶部１６０を含んでいてもよい。記憶部１６０は、ＳＲＡＭ、ＤＲＡＭ、その他のメモリーであってもよく、表示部５に表示させる画像情報を記憶していてもよい。また、記憶部１６０は、残像消去工程Ｓ２４（図５（Ａ）参照）において消去された残像消去領域の表示部５における位置情報や部分書き換え工程Ｓ２（図４参照）が繰り返された回数の情報等を記憶していてもよい。記憶された情報は例えばコントローラー６３によって読みだされ、その情報に基づいて残像消去対称化工程Ｓ６２（図５（Ｂ）参照）等が行われてもよい。
【００３６】
表示部５には、走査線駆動回路６１から延びる複数の走査線６６と、データ線駆動回路６２から延びる複数のデータ線６８とが形成されており、これらの交差位置に対応して画素４０が設けられている。
【００３７】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４１（図２参照）のオンタイミングを規定する選択信号を供給する。
【００３８】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画像データ「１」を規定する場合には、ハイレベルの画像信号を画素４０に供給するものとする。
【００３９】
表示部５には、また、共通電源変調回路６４から延びる低電位電源線４９（Ｖｓｓ）、高電位電源線５０（Ｖｄｄ）、共通電極配線５５（Ｖｃｏｍ）、第１の制御線９１（Ｓ１）、第２の制御線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続及び切断（ハイインピーダンス化、Ｈｉ−Ｚ）を行う。
【００４０】
１．１．２．画素部分の回路構成
図２は、図１の画素４０の回路構成図である。
【００４１】
画素４０には、駆動用ＴＦＴ（Thin Film Transistor）４１と、ラッチ回路７０と、スイッチ回路８０が設けられている。画素４０は、ラッチ回路７０により画像信号を電位として保持するＳＲＡＭ（Static Random Access Memory）方式の構成をとる。なお、図１と同じ配線には同じ番号を付しており、説明は省略する。また、全画素に共通の共通電極配線５５については記載を省略している。
【００４２】
駆動用ＴＦＴ４１は、Ｎ−ＭＯＳトランジスタからなる画素スイッチング素子である。駆動用ＴＦＴ４１のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。インバーター７０ｔ、７０ｆには、低電位電源線４９（Ｖｓｓ）と高電位電源線５０（Ｖｄｄ）から電源電圧が供給される。
【００４３】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ供給される電位（信号）を意味する。
【００４４】
ラッチ回路７０に画像データ「１」（ハイレベルの画像信号）が記憶されて、トランスミッションゲートＴＧ１がオン状態となると、スイッチ回路８０はＶａとして電位Ｓ１を供給する。一方、ラッチ回路７０に画像データ「０」（ローレベルの画像信号）が記憶されて、トランスミッションゲートＴＧ２がオン状態となると、スイッチ回路８０はＶａとして電位Ｓ２を供給する。このような回路構成により、制御部６はそれぞれの画素４０の画素電極に対して供給する電位（信号）を制御することが可能である。なお、画素４０の回路構成は一例であり、図２に示すものに限られない。
【００４５】
１．１．３．表示方式
本実施形態の電気泳動表示装置１００は、二粒子系マイクロカプセル型の電気泳動方式であるとする。分散液は無色透明、泳動粒子は白色又は黒色のものであるとすると、白色又は黒色の２色を基本色として少なくとも２色を表示可能である。前記の通り、この基本色のうち第１色は黒であり、第２色は白である。
【００４６】
図３（Ａ）は、本実施形態の電気泳動素子３２の構成を示す図である。電気泳動素子３２は素子基板３０と対向基板３１（図３（Ｂ）、図３（Ｃ）参照）との間に挟まれている。電気泳動素子３２は、複数のマイクロカプセル２０を配列して構成される。マイクロカプセル２０は、例えば無色透明な分散液と、複数の白色粒子（電気泳動粒子）２７と、複数の黒色粒子（電気泳動粒子）２６とを封入している。本実施形態では、例えば白色粒子２７は負に帯電しており、黒色粒子２６は正に帯電しているとする。
【００４７】
図３（Ｂ）は、電気泳動表示装置１００の表示部５の部分断面図である。素子基板３０と対向基板３１は、マイクロカプセル２０を配列してなる電気泳動素子３２を狭持している。素子基板３０の電気泳動素子３２側には、複数の画素電極３５が形成されており、画素４０ごとに電位を供給することが可能である（Ｖａ、Ｖｂ）。
【００４８】
一方、対向基板３１は透明基板であり、表示部５において対向基板３１側に画像表示がなされる。対向基板３１の電気泳動素子３２側には、平面形状の共通電極３７が形成されている。なお、共通電極３７は透明電極である。共通電極３７は、画素電極３５と異なり全画素に共通の電極であり、電位Ｖｃｏｍが供給される。
【００４９】
図３（Ｂ）では、共通電極側電位Ｖｃｏｍが画素４０Ａの画素電極の電位Ｖａよりも高電位である。このとき、負に帯電した白色粒子２７が共通電極３７側に引き寄せられ、正に帯電した黒色粒子２６が画素電極３５側に引き寄せられるため、画素４０Ａは白を表示していると視認される。なお、画素４０のうち、画素電極３５において電位Ｖａが供給される画素を画素４０Ａとし、電位Ｖｂが供給される画素を画素４０Ｂと表現する。
【００５０】
図３（Ｃ）では、共通電極側電位Ｖｃｏｍが画素４０Ａの画素電極の電位Ｖａよりも低電位である。このときは逆に、正に帯電した黒色粒子２６が共通電極３７側に引き寄せられ、負に帯電した白色粒子２７が画素電極３５側に引き寄せられるため、画素４０Ａは黒を表示していると視認される。なお、図３（Ｃ）の構成は図３（Ｂ）と同様である。
【００５１】
１．２．電気泳動表示装置の駆動方法
１．２．１．輪郭部分の残像
電気泳動表示装置の駆動方法として、表示部の全体を描画する全面駆動だけでなく、書き換えを行う表示部の一部のみを描画する部分駆動が用いられることがある。電圧を印加する対象の画素数を減らすことで、書き換え時のレスポンスを早めることができる。
【００５２】
しかし、部分駆動を行った場合に、駆動されない画素（背景）との境界部分で斜め方向に電界が生じる。部分駆動によって表示された文字、図形等を消去した場合に、斜め方向に生じた電界の影響によって、その文字、図形等の輪郭部分が残像として視認されることがある（図７（Ｂ）参照）。よって、部分駆動によって部分的な書き換えを行う場合（部分書き換え）には、輪郭部分の残像を消去する操作（残像消去）が必要である。
【００５３】
なお、全面駆動を行った場合には、全ての画素が駆動対象であり、斜め方向には電界が生じにくい。よって、全面駆動の場合には残像消去は不要である（図９（Ａ）、図９（Ｂ）参照）。
【００５４】
１．２．２．ＤＣバランス
残像消去は、文字、図形等自体の表示、消去とは別の補助的な操作である。また、残像消去において電界が印加される時間は、文字、図形等自体の表示、消去と比べると短時間である。そのため、従来、残像消去についてＤＣバランスが考慮されることはなかった。
【００５５】
しかし、残像消去の対象となる画素の電極間については、残像消去によって一定の方向に電界が印加されることになる。そして、残像消去は文字、図形等自体の表示に伴って繰り返されるため、使用され続けると印加電界の非対称性が大きくなる。よって、電気泳動表示装置の長期信頼性を確保するために、残像消去も含めてＤＣバランスをとる必要がある。
【００５６】
そこで、以下に残像消去も含めてＤＣバランスをとることが可能な電気泳動表示装置の駆動方法を説明する。
【００５７】
１．２．３．メインルーチンのフローチャート
図４は、第１実施形態における電気泳動表示装置の駆動方法のフローチャートである。本実施形態にかかる電気泳動表示装置の駆動方法は、最初に部分書き換え工程Ｓ２を行う。部分書き換え工程Ｓ２は、電気泳動表示装置の表示部のうち所与の領域内で、部分駆動によって所与の視覚表現の書き換えを行う。部分書き換え工程Ｓ２は、前記の残像消去が行われる残像消去工程を含む。
【００５８】
ここで、表示部における所与の領域とは、部分駆動によって所与の視覚表現の書き換えが行われ得る領域をいう。そして、所与の視覚表現とは、文字、メッセージ、画像、図形、模様、記号等のいずれか、又はこれらの組み合わせである。
【００５９】
例えば、Ａ〜Ｚの文字が６画素×６画素の領域に部分駆動で書き換えられて、表示部のそれ以外の領域は全面駆動によってのみ書き換えられるとする。このとき、前記の所与の領域とは６画素×６画素の領域であり、所与の視覚表現とはＡ〜Ｚの文字である。
【００６０】
部分書き換え工程Ｓ２は、所与の回数繰り返されてもよい（Ｓ４）。先の例では、Ａ〜Ｚが順に一度づつ表示されるとすると、部分書き換え工程Ｓ２は２６回繰り返される。
【００６１】
その後、部分書き換え工程Ｓ２が含む残像消去工程によって生じた、ＤＣバランスの不均衡（印加電界の非対称性）を解消するために、非対称性解消工程Ｓ６が行われる。非対称性解消工程Ｓ６は、残像消去工程とは逆の表示を行う残像消去対称化工程を含む。
【００６２】
例えば、第１色として黒を、第２色として白を表示可能な電気泳動表示装置において、残像消去として輪郭部分を含む領域（残像消去領域）を白で表示したとする。このとき、残像消去対称化工程では、残像表示領域を黒で表示する操作を行う。なお、白を表示する場合と黒を表示する場合とでは、印加する電界の方向は正反対であり、電界が印加される時間は同じであるとする。
【００６３】
さらに、先の例では部分書き換え工程Ｓ２は２６回繰り返されＡ〜Ｚが順に表示されている。このとき、残像消去対称化工程は、Ａ〜Ｚのそれぞれの残像消去領域に対して前記の逆の表示を順に行えばよい。
【００６４】
非対称性解消工程Ｓ６の後に、電気泳動表示装置の表示の終了命令の有無が判断されてもよい（Ｓ８）。表示を継続する場合には再びＳ２に戻り（Ｓ８Ｎ）、表示を終了する場合にはフローチャートの制御も終了する（Ｓ８Ｙ）。例えば、電子時計に用いられる電気泳動表示装置などでは表示が終了することはなく、再びＳ２〜Ｓ６の工程が繰り返される。
【００６５】
１．２．４．サブルーチンのフローチャート
１．２．４．１．部分書き換え工程
図５（Ａ）は、部分書き換え工程Ｓ２のサブルーチンを示すフローチャートである。本実施形態では、部分書き換え工程Ｓ２は、部分書き込み工程Ｓ２０、部分消去工程Ｓ２２、残像消去工程Ｓ２４を含む。
【００６６】
部分書き込み工程Ｓ２０は、表示部の所与の領域に所与の視覚表現を表示する。再び先の例を用いると、部分書き込み工程Ｓ２０では、６画素×６画素の領域（所与の領域）の全てが白色であるときに、部分駆動により黒色で例えばＡの文字（所与の視覚表現）を表示する。
【００６７】
部分消去工程Ｓ２２は、部分書き込み工程Ｓ２０で書き込まれた所与の視覚表現を消去する。部分消去工程Ｓ２２では、例えば、部分駆動により白色でＡの文字（所与の視覚表現）を表示することで消去を行う。なお、部分消去工程Ｓ２２は反対の色で同一の表示を行うことで、部分書き込み工程Ｓ２０との間でＤＣバランスをとっている。
【００６８】
残像消去工程Ｓ２４は、所与の視覚表現の輪郭を含む領域（残像消去領域）を消去する。残像消去工程Ｓ２４では、例えば、部分駆動によりＡの文字（所与の視覚表現）の輪郭を含む残像消去領域を白色で表示することで消去を行う。後述のように、残像消去領域は、少なくとも部分書き込み工程Ｓ２０でＡの文字の輪郭を黒色で表示する画素である輪郭形成画素と、輪郭形成画素と隣接する白色の画素である背景境界画素とを含む領域である（図８（Ａ）Ｒ２参照）。このとき、残像消去工程Ｓ２４ではＤＣバランスがとれていないため、以下の非対称解消工程が必要になる。
【００６９】
１．２．４．２．非対称性解消工程
図５（Ｂ）は、非対称性解消工程Ｓ６のサブルーチンを示すフローチャートである。本実施形態では、非対称性解消工程Ｓ６は、第１全面書き込み工程Ｓ６０、残像消去対称化工程Ｓ６２、第２全面書き込み工程Ｓ６４を含む。
【００７０】
第１全面書き込み工程Ｓ６０では、表示部の全体を描画する全面駆動が行われる。そして、第１全面書き込み工程Ｓ６０は、表示部の所与の領域の全てを、部分書き換え工程Ｓ２で所与の視覚表現を表示するのに用いた色にする。
【００７１】
例えば、部分書き換え工程Ｓ２では、６画素×６画素の領域は白色であり、そこにＡの文字を表示するのには黒色を用いていた。第１全面書き込み工程Ｓ６０は、全面駆動によって前記の６画素×６画素の領域（所与の領域）の全てを黒色にする。このことは、次に続く残像消去対称化工程Ｓ６２の準備としての意味を持つ。
【００７２】
残像消去対称化工程Ｓ６２は、残像消去工程Ｓ２４とＤＣバランスをとるため、残像消去工程Ｓ２４で消去された残像消去領域に対して残像消去工程Ｓ２４とは逆の表示を行う。
【００７３】
例えば、残像消去対称化工程Ｓ６２は、残像消去工程Ｓ２４と同じ部分駆動によって、Ａの文字の輪郭を含む残像消去領域を黒色で表示することでＤＣバランスをとる。このとき、第１全面書き込み工程Ｓ６０により６画素×６画素の領域は黒色となっている。そのため、残像消去領域を黒色で表示してもユーザーに視認されるおそれはない。よって、ユーザーに故障との誤解を生じさせることもなく、残像消去工程Ｓ２４とＤＣバランスをとることが可能である。
【００７４】
第２全面書き込み工程Ｓ６４では、表示部の全体を描画する全面駆動が行われる。そして、第２全面書き込み工程Ｓ６４は、表示部の所与の領域の全てを、部分書き換え工程Ｓ２で所与の視覚表現を消去するのに用いた色にする。
【００７５】
例えば、部分書き換え工程Ｓ２では、６画素×６画素の領域は白色であり、表示されたＡの文字を消去するのには白色を用いていた。第２全面書き込み工程Ｓ６４では、全面駆動によって前記の６画素×６画素の領域（所与の領域）の全てを白色にする。このことは、次に続く部分書き換え工程Ｓ２の準備としての意味を持つ。
【００７６】
なお、第２全面書き込み工程Ｓ６４は第１全面書き込み工程Ｓ６０とＤＣバランスをとることが好ましい。よって、第２全面書き込み工程Ｓ６４による表示は、表示部の全体において、第１全面書き込み工程Ｓ６０による表示の白と黒を相互に交換した表示（反転表示）であることが好ましい。
【００７７】
図４、図５（Ａ）、図５（Ｂ）のフローチャートで示される電気泳動表示装置の駆動方法に従うことにより、ＤＣバランスをとりつつ画像の輪郭に沿った残像を消去する電気泳動表示装置の駆動方法が可能となる。次に、この駆動方法を実現する電気泳動表示装置の実施例を示す。以下の説明および図で用いる工程番号（Ｓ２〜Ｓ６４）は図４、図５（Ａ）、図５（Ｂ）のフローチャートの工程番号に対応する。
【００７８】
なお、本実施形態では、電気泳動表示装置が表示可能な第１色は黒であるとして、第２色は白であるとして説明する。そして、黒（第１色）を表示している画素を白（第２色）で表示すること、又は白を表示している画素を黒で表示することを反転と表現する。
【００７９】
１．３．フローチャートと電気泳動表示装置における表示の対応
１．３．１．部分書き換え工程
前記の構成の電気泳動表示装置１００によって、部分書き換え工程Ｓ２が実施される場合の表示部５の表示例などを以下に説明する。
【００８０】
図６は、本実施形態における部分書き換え時の波形図を示す。Ｓ１、Ｓ２は共通電源変調回路６４からの信号である（図１、図２参照）。Ｖａ、Ｖｂはそれぞれ画素４０Ａ、画素４０Ｂの画素電極３５に供給される信号である。なお、画素４０Ａと画素４０Ｂは隣接しているものとする（図３（Ｂ）、図３（Ｃ）参照）。画素４０Ａと画素４０Ｂの回路構成も図２と同じであり、それぞれのラッチ回路に保持された画像データに応じて、Ｖａ、ＶｂとしてＳ１またはＳ２を出力する。Ｖｃｏｍは共通電源変調回路６４から共通電極３７に供給される信号である。それぞれの信号Ｖａ、Ｖｂ、Ｖｃｏｍは、ハイレベル（ＶＨ）、ローレベル（ＶＬ）、またはハイインピーダンス状態（Ｈｉ−Ｚ）をとり得るものとする。
【００８１】
なお、図４の通り、部分書き換え工程Ｓ２は所定の回数まで繰り返し行われる（Ｓ４）。よって、図６の対応工程の「Ｓ２（ループ１回目）」は、部分書き換え工程Ｓ２が最初に行われていることを、「Ｓ２（ループ２回目）」は部分書き換え工程Ｓ２が２回目の繰り返しで行われていることを意味する。
【００８２】
図６の対応工程がＳ２０（Ｓ２ループ１回目）と示された区間は、部分書き込み工程Ｓ２０を行っている。Ｖａの電位はＶＨであるため、ＶｃｏｍがＶＬのときに画素４０Ａを構成する電気泳動素子３２において、正に帯電した黒色粒子２６が共通電極３７側に引き寄せられる。そして、画素４０Ａは黒色で表示される。一方、同じ区間において、Ｖｂはハイインピーダンス状態であり、画素４０Ｂは背景色である白色の表示を保つ。なお、図６の対応工程がＳ２０（Ｓ２ループ２回目）と示された区間の動作も同様である。
【００８３】
図６の対応工程がＳ２２と示された区間は、部分消去工程Ｓ２２を行っている。Ｖａの電位はＶＬであるため、ＶｃｏｍがＶＨのときに画素４０Ａを構成する電気泳動素子３２において、負に帯電した白色粒子２７が共通電極３７側に引き寄せられる。そして、画素４０Ａは白色で表示される。一方、同じ区間において、Ｖｂはハイインピーダンス状態であり、画素４０Ｂ背景色である白色の表示を保つ。
【００８４】
このとき、画素４０Ａを含めて、部分書き込み工程Ｓ２０において黒色で表示された画素は、部分消去工程Ｓ２２において白色で表示される。すなわち、部分消去工程Ｓ２２によって、その前に行われた部分書き込み工程Ｓ２０とＤＣバランスをとることができる（ｂａｌａｎｃｅｄ）。なお、図６の例ではＳ２２の工程の方が、Ｓ２０の工程よりも長い時間行われているが、Ｓ２２の工程におけるＶｃｏｍの各パルス幅はＳ２０の工程よりも短い。そのため、Ｓ２０とＳ２２において通算で電極間に印加される電界の時間平均はゼロとなりＤＣバランスがとられる。
【００８５】
図６の対応工程がＳ２４と示された区間は、残像消去工程Ｓ２４を行っている。Ｖａの電位はＶＬであるため、ＶｃｏｍがＶＨのときに画素４０Ａを構成する電気泳動素子３２において、負に帯電した白色粒子２７が共通電極３７側に引き寄せられる。そして、画素４０Ａは白色で表示される。また、Ｖｂの電位もＶＬであるため、隣接する画素４０Ｂについても白色での表示が行われる。残像消去工程Ｓ２４については、ＤＣバランスが不均衡となっている（ｕｎｂａｌａｎｃｅｄ）。
【００８６】
図７（Ａ）〜図７（Ｄ）は、図６の各工程に対応する表示部５の表示例（左図）と断面図（右図）を示すものである。なお、図７（Ａ）〜図７（Ｄ）では表示部５のうち部分駆動が行われ得る６画素×６画素の領域を抜き出して表示している。また、図７（Ａ）〜図７（Ｄ）の右図は、それぞれ左図のＹ−Ｙ線に沿った断面図であり、画素４０Ａ、４０Ｂを含む。図７（Ａ）〜図７（Ｄ）および以後の図において、表示部５のうち斜線で示された画素は、その画素が黒色で表示されていることを示す。
【００８７】
図７（Ａ）は、図６の部分書き込み工程Ｓ２０（Ｓ２ループ１回目）に対応する。表示部５には画像Ｐ１が書き込まれ、画素４０Ａはその輪郭を形成する画素（輪郭形成画素）の１つである。なお、画像Ｐ１を形成する黒色の１６画素（４画素×４画素）が視覚表現形成画素である。輪郭形成画素は、視覚表現形成画素の一部である。また、画素４０Ｂは画像Ｐ１の背景を形成し、輪郭形成画素と隣接する画素（背景境界画素）の１つである。画素電極３５Ａ（Ｖａ）の電位はＶＨであり、画素４０Ａは黒色で表示される。一方、画素電極３５Ｂ（Ｖｂ）はハイインピーダンス状態であり、画素４０Ｂは背景色である白色の表示を保つ。
【００８８】
ここで、図８（Ｃ）は、この例における輪郭形成画素Ｒ３と背景境界画素Ｒ４を示したものである。輪郭形成画素Ｒ３は、画像Ｐ１の輪郭を形成する黒色の１２画素である。そのうちの１つが画素４０Ａである。背景境界画素Ｒ４は、輪郭形成画素Ｒ３と隣接する白色の２０画素である。そのうち１つが画素４０Ｂである。なお、背景境界画素は輪郭形成画素と隣接しているが、隣接には水平、垂直方向のみならず、斜め方向も含まれてもよい。例えば、画素４０Ｂのみならず、画素４０Ｖ、画素４０Ｗ、画素４０Ｘ、画素４０Ｙは背景境界画素に含まれてもよい。
【００８９】
図７（Ｂ）は、図６の部分消去工程Ｓ２２（Ｓ２ループ１回目）に対応する。部分書き込み工程Ｓ２０で書き込まれた画像Ｐ１を形成する画素は白色で表示される。画素電極３５Ａ（Ｖａ）の電位はＶＬであり、画素４０Ａは白色となる。このとき、輪郭形成画素とそれに隣接するハイインピーダンス状態（Ｈｉ−Ｚ）の背景境界画素との間で斜め方向の電界が生じ、画像Ｐ１の輪郭に沿った残像Ｐ２が発生する。この例では、白色を背景として、輪郭に沿って薄い黒色の残像Ｐ２が視認される。そのため、次の残像消去工程Ｓ２４が必要になる。
【００９０】
図７（Ｃ）は、図６の残像消去工程Ｓ２４（Ｓ２ループ１回目）に対応する。輪郭の残像Ｐ２を消去するために、残像消去領域を背景色と同じ白色で表示している。ここで、残像消去領域とは少なくとも輪郭形成画素と背景境界画素とを含む領域をいう。
【００９１】
ここで、図８（Ａ）は、この例における残像消去領域を図示したものである。図中のＲ２が輪郭形成画素Ｒ３と背景境界画素Ｒ４からなる最小の残像消去領域となる。
【００９２】
再び図７（Ｃ）に戻る。図８（Ａ）で示された残像消去領域Ｒ２を白色で表示することで残像Ｐ２は消去される。残像消去工程Ｓ２４では、画素４０Ａ、画素４０Ｂの画素電極３５Ａ（Ｖａ）、３５Ｂ（Ｖｂ）の電位はＶＬであり、負に帯電した白色粒子２７が共通電極３７側に引き寄せられる方向の電界が印加されている。ＤＣバランスをとるためには、逆方向の電界を印加する操作、すなわち、図８（Ｂ）で示すように残像消去領域Ｒ２を黒色で表示する操作を行う必要がある。
【００９３】
なお、残像消去領域は、図８（Ａ）のＲ２に限らずより幅の広い（３画素分以上の）領域であってもよい。つまり、背景側又は画像側に幅を広げて、残像Ｐ２をより確実に消去できるようにしてもよい。しかし、残像消去領域の幅が小さい程、部分駆動の対象となる画素数が少なくなり消費電力を抑えることができる。よって、低消費電力の観点からは、輪郭形成画素と背景境界画素からなる最小の残像消去領域が好ましい。
【００９４】
図７（Ｄ）は、図６の部分書き込み工程Ｓ２０（Ｓ２ループ２回目）に対応する。部分書き換え工程Ｓ２が繰り返し行われて、表示部５には画像Ｐ１１が書き込まれた場合も画素４０Ａ、画素４０Ｂの動作は図７（Ａ）と同様である。
【００９５】
１．３．２．非対称性解消工程
電気泳動表示装置１００によって、非対称性解消工程Ｓ６が実施される場合の表示部５の表示例などを以下に説明する。
【００９６】
１．３．２．１．全面書き込み工程Ｓ６０、Ｓ６４
非対称性解消工程Ｓ６は、第１全面書き込み工程Ｓ６０と第２全面書き込み工程Ｓ６４を含む。これらの工程では、全ての画素が駆動対象である全面駆動が行われ、斜め方向には電界が生じにくく、図７（Ｂ）に示した輪郭部分の残像の問題もない。
【００９７】
また、全面駆動を行う工程では、図９（Ａ）のような反転表示をした後に、図９（Ｂ）のように正転表示をすることでＤＣバランスをとることができる。第１全面書き込み工程Ｓ６０と第２全面書き込み工程Ｓ６４は、部分駆動が行われる所与の領域（例えば、図９（Ｃ）、図９（Ｄ）の６画素×６画素の領域）以外の領域においても、反転表示と正転表示の関係が成立し、表示部５の全体でＤＣバランスがとられているものとする。
【００９８】
図９（Ｃ）〜図９（Ｄ）では表示部５のうち部分駆動が行われ得る６画素×６画素の領域を抜き出して表示している。また、図９（Ｃ）〜図９（Ｄ）の右図は、それぞれ左図のＹ−Ｙ線に沿った断面図である。
【００９９】
図９（Ｃ）は、第１全面書き込み工程Ｓ６０の表示例である。領域内の全ての画素には、続いて行われる残像消去対称化工程Ｓ６２の背景色である黒色が表示されている。
【０１００】
図９（Ｄ）は、第２全面書き込み工程Ｓ６４の表示例である。領域内の全ての画素には、続いて行われ得る部分書き込み工程Ｓ２０の背景色である白色が表示されている。
【０１０１】
１．３．２．２．残像消去対称化工程Ｓ６２
図１０は、本実施形態における残像消去対称化時の波形図を示す。図１０の記号等については、図６と同様であり説明を省略する。
【０１０２】
図１０の対応工程は残像消去対称化工程Ｓ６２である。１回目と示された区間の操作により、図６の残像消去工程Ｓ２４とＤＣバランスがとられる。同区間の操作は、図６のＳ２４と示された区間において白色で表示された残像消去領域を、黒色で表示するものである。
【０１０３】
図１０の対応工程で２回目と示された区間の操作は、部分書き換え工程Ｓ２が繰り返された場合の２回目の残像消去工程Ｓ２４（図６の範囲外）とＤＣバランスをとるものである。以後、部分書き換え工程Ｓ２の繰り返しに応じて（図４のＳ４参照）、残像消去対称化工程Ｓ６２も残像消去領域の黒色表示を繰り返す。
【０１０４】
図１１（Ａ）、図１１（Ｂ）は、図１０に対応する表示部５の表示例（左図）と、表示部５のうち画素４０Ａ、画素４０Ｂについての断面図（右図）を示すものである。なお、図１１（Ａ）、図１１（Ｂ）の表示方法については、図７と同様であるので説明を省略する。
【０１０５】
図１１（Ａ）は、図１０の１回目の残像消去対称化工程Ｓ６２に対応する。第１全面書き込み工程Ｓ６０によって黒色の背景色となった６画素×６画素の領域に、残像消去領域Ｒ２を黒色で表示する（図８（Ｂ）参照）。背景色と同一であるため、ユーザーにこの動作が視認されることはない。この表示は図７（Ｃ）と対称的であり、残像消去対称化工程Ｓ６２は残像消去工程Ｓ２４で生じた印加電界の非対称性を解消するものである。
【０１０６】
図１１（Ｂ）は、図１０の２回目の残像消去対称化工程Ｓ６２に対応する。図１１（Ａ）で示した操作に続けて、２回目の残像消去対称化工程Ｓ６２を行うことができる。部分書き換え工程Ｓ２を複数回繰り返した場合に、まとめて残像消去対称化工程Ｓ６２を行うことで、全体としての処理の効率を高めることが可能である。なお、図１１（Ｂ）の残像消去領域Ｒ２１は、図７（Ｄ）の画像Ｐ１１に対応するものであり、Ｐ１１の輪郭を含んでいる。
【０１０７】
以上のように、本実施形態の電気泳動表示装置１００は、図４、図５（Ａ）、図５（Ｂ）のフローチャートで示される電気泳動表示装置の駆動方法により、ＤＣバランスをとりつつ画像の輪郭に沿った残像を消去することが可能である。
【０１０８】
２．電子機器
本発明の第２実施形態について図１２〜図１３を参照して説明する。なお、第１実施形態と同様の構成については、同一符号を付して説明を省略し、相違する部分について説明する。
【０１０９】
前記の電気泳動表示装置１００は、様々な電子機器に適用され得る。
【０１１０】
例えば、図１２（Ａ）は電子機器の１つである腕時計１０００の正面図である。腕時計１０００は、時計ケース１００２と、時計ケース１００２に連結された一対のバンド１００３とを備える。時計ケース１００２の正面には、電気泳動表示装置１００からなる表示部１００４が設けられ、表示部１００４は時刻表示を含む表示１００５を行っている。時計ケースの側面には、２つの操作ボタン１０１１と１０１２とが設けられている。なお、操作ボタン１０１１、１０１２によって、表示１００５として時刻、カレンダー、アラームなど様々な表示形態が選択されてもよい。
【０１１１】
また、例えば図１２（Ｂ）は電子機器の１つである電子ペーパー１１００の斜視図である。電子ペーパー１１００は可撓性を有し、電気泳動表示装置１００からなる表示領域１１０１と本体１１０２を備える。
【０１１２】
電気泳動表示装置１００を含む電子機器は、残像がないために電気泳動表示装置の視認性が向上し、ＤＣバランスがとられているために電気泳動表示装置の長期信頼性を得る。
【０１１３】
２．１．電子時計
ここで、第２実施形態として、腕時計１０００を含む電子時計の実施形態を説明する。
【０１１４】
図１３（Ａ）〜図１３（Ｊ）は本実施形態に係る電子時計の表示部５の表示例を示す。図１３（Ａ）〜図１３（Ｊ）では表示部５のうち時刻表示部分のみを抜き出している。また、領域５１は部分駆動が行われ得る領域を示す。図１３（Ａ）〜図１３（Ｊ）に示す実施例では領域５１は時刻表示の分桁の一桁目に対応するが、例えば分桁の十桁目も含めて領域５１としてもよいし、時刻表示全体を領域５１としてもよい。
【０１１５】
図１３（Ａ）〜図１３（Ｊ）の領域５１の拡大図（右図）において、灰色で示す部分は部分駆動の対象でない画素を示す。すなわち、領域５１の拡大図で黒色又は白色で表示された画素が部分駆動される。なお、図１３（Ａ）〜図１３（Ｊ）に付された工程番号は図４、図５（Ａ）、図５（Ｂ）のフローチャートの工程番号に対応する。
【０１１６】
図１３（Ａ）は、時刻が１２：００であることを示している。部分書き込み工程Ｓ２０が行われ、領域５１に黒色で分一桁として０が表示される。
【０１１７】
図１３（Ｂ）は、時刻が１２：００から１２：０１に変化する前に、部分消去工程Ｓ２２が行われ、領域５１に黒色で表示されていた０が消去されることを示す。
【０１１８】
図１３（Ｃ）は、残像消去工程Ｓ２４が行われ、領域５１に黒色で表示されていた０の輪郭部分の残像が消去されることを示す。このとき、残像消去領域（図１３（Ｃ）右図の白色で表示された領域）の情報を記憶する領域記憶処理が行われ、例えば記憶部１６０（図１参照）に情報が記憶されるものとする。
【０１１９】
その後、分桁の一桁目が１、２、３、…と変化し、９になるまで図１３（Ａ）〜図１３（Ｃ）と同じ工程が繰り返される。このことは、図４のＳ４において所与の回数として１０回部分書き換え工程Ｓ２を繰り返すことに対応する。この間、１、２、３、…、９のそれぞれの残像消去領域が記憶部１６０に記憶されるものとする。なお、図１３（Ｄ）〜図１３（Ｆ）は、それぞれ図１３（Ａ）〜図１３（Ｃ）で分桁の一桁目が９になった場合であるので説明は省略する。
【０１２０】
図１３（Ｇ）は、第１全面書き込み工程Ｓ６０が行われ、領域５１を黒色で表示していることを表す。このとき、時桁や区切り（：）や分桁の十桁は白色の文字で表示されてもよい。
【０１２１】
図１３（Ｈ）は、図１３（Ｃ）の残像消去工程Ｓ２４とＤＣバランスをとるために、残像消去対称化工程Ｓ６２が行われることを示す図である。例えば、コントローラー６３（図１参照）は記憶部１６０から残像消去領域の情報を読み出し、図１３（Ｃ）において白色で表示された０の輪郭を含む残像消去領域を、図１３（Ｈ）のように黒色で表示する。なお、図１３（Ｇ）により、領域５１の全面が背景色として黒色で表示されているので、残像消去対称化工程Ｓ６２による表示がユーザーに視認されることはない。つまり、黒色の背景色に対して黒色で残像消去領域を表示するので目につかない。
【０１２２】
その後、分桁の一桁目が１、２、３、…と変化し、９になるまで図１３（Ｈ）と同じ工程が繰り返される。残像消去対称化工程Ｓ６２は、例えば記憶部１６０からの残像消去領域の情報に基づいて、複数の残像消去工程Ｓ２４が行われた場合であっても、まとめて処理を行うことが可能である（図１３（Ｈ）〜図１３（Ｉ））。そのため処理の効率化を図ることが可能である。なお、図１３（Ｉ）は図１３（Ｈ）で分桁の一桁目が９になった場合であるので説明は省略する。
【０１２３】
前記の通り、繰り返された複数の残像消去工程Ｓ２４（図１３（Ｃ）、図１３（Ｆ））に対して、ＤＣバランスをとるために残像消去対称化工程Ｓ６２をまとめて処理することが可能である（図１３（Ｈ）、図１３（Ｉ））。
【０１２４】
図１３（Ａ）〜図１３（Ｊ）の電子時計の例では、１０分毎に残像消去対称化工程Ｓ６２がおこなわれているが、例えば１日に１回だけ残像消去対称化工程Ｓ６２が行われてもよい。電子時計にとっては、時刻表示という基本機能とは関係のない残像消去対称化工程Ｓ６２を１日分まとめて行う方が処理の効率がよい。また、Ｓ６２を１時間に１回行ってもよい。
【０１２５】
また、仮に１日分まとめて残像消去対称化工程Ｓ６２を行う場合、その時間をユーザーが寝ている可能性の高い夜中（例えば午前３時）などに設定してもよい。このとき、ユーザーは残像消去対称化工程Ｓ６２を行うことで生じ得る通常表示の中断や遅延を認識しない可能性が高い。しかし、万一ユーザーが、電子時計が通常表示を行っていないことを視認した場合に、電子時計の故障であると誤解する可能性がある。これを防止するために、例えば操作ボタン（図１２の１０１１、１０１２）で選択可能な特別のモードを、通常の時刻表示を行うモードとは別に設けて、ユーザーがこの特別のモードを選択して意識的に残像消去対称化工程Ｓ６２を行うようにしてもよい。または、自動的にパワーセーブモードに移行する時に、残像消去対称化工程Ｓ６２が行われてもよい。ここで、本実施形態におけるパワーセーブモードとは、時刻表示の書き換えを行わないことで消費電力を低減させる動作モードの１つであって、電子時計の電源電圧が低下した場合等には自動的にパワーセーブモードに移行するものとする。
【０１２６】
なお、このようなモードを持たない場合でも、例えば電源をオフするときに残像消去対称化工程Ｓ６２を１回だけ行うことで、ＤＣバランスをとることが可能である。例えば、電子機器の１つである電子ペーパー１１００（図１２（Ｂ）参照）の場合には、電源をオンしたときから累積されたアンバランス分を消去するために、電源をオフするときに残像消去対称化工程Ｓ６２を１回だけ行うようにしてもよい。電源をオフにする際に通常表示が行われなくても、終了処理と認識されるため、ユーザーが故障であると誤解する恐れはない。
【０１２７】
図１３（Ｊ）は、第２全面書き込み工程Ｓ６４が行われ、領域５１を白色で表示していることを表す。このとき、図１３（Ｊ）における表示は図１３（Ｇ）の表示とＤＣバランスがとれるように、図１３（Ｇ）の表示を反転したものとなっている。
【０１２８】
なお、図１３（Ａ）〜図１３（Ｊ）の表示例においては、図１３（Ａ）と図１３（Ｂ）、図１３（Ｄ）と図１３（Ｅ）、図１３（Ｃ）と図１３（Ｈ）、図１３（Ｆ）と図１３（Ｉ）、図１３（Ｇ）と図１３（Ｊ）のペアでそれぞれＤＣバランスがとられている。
【０１２９】
３．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１３０】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１３１】
さらに、前記の実施形態の電子時計は、腕時計に限らず、置き時計、掛け時計、懐中時計などの時計機能を有する機器に広く適用できる。
【０１３２】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１３３】
５…表示部、６…制御部、２０…マイクロカプセル、２６…黒色粒子、２７…白色粒子、３０…素子基板、３１…対向基板、３２…電気泳動素子、３５…画素電極、３５Ａ…画素電極、３５Ｂ…画素電極、３７…共通電極、４０…画素、４０Ａ…画素、４０Ｂ…画素、４０Ｖ…画素、４０Ｗ…画素、４０Ｘ…画素、４０Ｙ…画素、４１…駆動用ＴＦＴ（Thin Film Transistor）、４９…低電位電源線（Ｖｓｓ）、５０…高電位電源線（Ｖｄｄ）、５１…領域、５５…共通電極配線（Ｖｃｏｍ）、６１…走査線駆動回路、６２…データ線駆動回路、６３…コントローラー、６４…共通電源変調回路、６６…走査線、６８…データ線、７０…ラッチ回路、８０…スイッチ回路、９１…第１の制御線（Ｓ１）、９２…第２の制御線（Ｓ２）、１００…電気泳動表示装置、１６０…記憶部、１０００…腕時計、１００２…時計ケース、１００３…バンド、１００４…表示部、１００５…表示、１０１１…操作ボタン、１０１２…操作ボタン、１１００…電子ペーパー、１１０１…表示領域、１１０２…本体、Ｐ１…画像（視覚表現形成画素）、Ｐ２…残像、Ｐ１１…画像、Ｒ２…残像消去領域、Ｒ３…輪郭形成画素、Ｒ４…背景境界画素、Ｒ２１…残像消去領域、Ｓ２…部分書き換え工程、Ｓ６…非対称性解消工程、Ｓ２０…部分書き込み工程、Ｓ２２…部分消去工程、Ｓ２４…残像消去工程、Ｓ６０…第１全面書き込み工程、Ｓ６２…残像消去対称化工程、Ｓ６４…第２全面書き込み工程
【図１】
2011186146.tif 000003
【図２】
2011186146.tif 000004
【図３】
2011186146.tif 000005
【図４】
2011186146.tif 000006
【図５】
2011186146.tif 000007
【図６】
2011186146.tif 000008
【図７】
2011186146.tif 000009
【図８】
2011186146.tif 000010
【図９】
2011186146.tif 000011
【図１０】
2011186146.tif 000012
【図１１】
2011186146.tif 000013
【図１２】
2011186146.tif 000014
【図１３】
2011186146.tif 000015